【事件の表示】
　特願２０１６−１９８０６６「距離測定装置」拒絶査定不服審判事件〔平成３０年　４月１２日出願公開、特開２０１８−　５９８３９〕について、次のとおり審決する。
【結　論】
　本件審判の請求は、成り立たない。
【理　由】
第１　手続の経緯
　本願は、平成２８年１０月６日の出願であって、その手続の経緯は以下のとおりである。
　令和　元年　８月２１日付け：拒絶理由通知書
　令和　元年１１月　１日　　：意見書の提出
　令和　２年　４月　１日付け：拒絶査定（令和２年４月７日送達、以下「原査定」という。）  
　令和　２年　６月３０日　　：審判請求書、手続補正書の提出
第２　本願発明
　本願の請求項１に係る発明（以下「本願発明」という。）は、令和２年６月３０日に提出された手続補正書により補正された特許請求の範囲の請求項１に記載された次の事項により特定されるとおりのものと認める。
「　　【請求項１】
　光源から発せられた光の反射波に基づいて物体までの距離を測定するように構成された距離測定装置（１）であって、
　スイッチ（２１）、コンデンサ（２２）、発光素子（３１）、および保護素子（２３）を備え、発光制御信号に従って前記スイッチを開閉することによって前記コンデンサを充放電し、前記コンデンサによる放電の際の電力で前記発光素子を発光させるように構成された発光回路（１５）を備え、
　前記発光回路は、
　前記スイッチ、前記コンデンサ、前記発光素子が直列かつ環状に接続された回路を第１回路（１５Ｐ）とし、前記スイッチ、前記コンデンサ、前記保護素子が直列かつ環状に接続された回路を第２回路（１５Ａ）として、
　前記第１回路の寄生インダクタンス（Ｌｐ）は前記第２回路の寄生インダクタンス（Ｌａ）よりも大きくなるように構成され、
　前記発光回路は、
　前記発光素子と前記保護素子とが直列かつ環状に接続された回路を第３回路（１５Ｂ）として、
　前記第２回路の寄生インダクタンスは前記第３回路の寄生インダクタンス（Ｌｂ）よりも小さくなる
　ように構成される距離測定装置。」
第３　原査定における拒絶の理由
　原査定の拒絶の理由のうち、本願発明についての理由は、次のとおりである。  
１．（新規性）　本願発明は、その出願前に外国において、頒布された下記の刊行物に記載された発明であるから、特許法２９条１項３号に該当し、特許を受けることができない。
２．（進歩性）　本願発明は、その出願前に外国において頒布された下記の刊行物に記載された発明に基いて、その出願前にその発明の属する技術の分野における通常の知識を有する者が容易に発明をすることができたものであるから、特許法２９条２項の規定により特許を受けることができない。
　　　　　　　　　　　　　　　　　　　　　記
引用文献１．米国特許第９３６８９３６号明細書
第４　引用文献に記載された発明
　原査定の拒絶の理由に引用され、本願の出願前の平成２８年６月１４日に頒布された刊行物である上記引用文献１には、「LASER DIODE FIRING SYSTEM」（発明の名称）に関して、図面とともに以下の事項が記載されている。なお、当審による邦訳を併せて示す。
（１２欄５７〜６２行）
「
An example light detection and ranging (LIDAR) device operates to estimate positions of reflective objects surrounding the device by illuminating its surrounding environment with pulses of light and measuring the reflected signals
（
例示的な、光検出及び測距(LIDAR)装置は、光パルスを周囲に放射し、反射信号を測定することによって、周囲の反射性物体の位置を推定するように動作する
（１７欄７〜１１行）
「
In order to illuminate a scanning zone with pulses of light, a LIDAR device includes one or more light sources that are triggered to emit pulses of light
The light sources may include light emitting elements such as a laser diode or another emissive light source
（
光パルスを走査ゾーンに照射するために、LIDAR装置は光パルスを放射するようにトリガされる1つ以上の光源を含む
光源は、レーザダイオード又は他の発光源のような発光素子を含む
（１７欄４７行〜１８欄２２行）
「
FIG. 5A is an example laser diode firing circuit 500
The firing circuit 500 includes a capacitor 516 connected to a laser diode 518 and a transistor 520
 
A discharge diode 522 is coupled across the laser diode 518
 The discharge diode 522 is configured to allow an internal capacitance of the laser diode 518 to discharge when the transistor 520 is turned off
 
To initiate firing, the gate driver 530 causes the transistor 520 to turn on by adjusting the voltage applied to the gate terminal 520g
The transistor 520 is turned back off by adjusting the voltage applied to the gate terminal 520g via the gate driver 530
Upon turning off the transistor 520, the laser diode 518 ceases emission
（
図5Ａは、例示的なレーザダイオード発光回路500である
発光回路500は、レーザダイオード518に接続されたコンデンサ516及びトランジスタ520を備えている
　
放電ダイオード522は、レーザダイオード518の両端に結合される
放電ダイオード522は、トランジスタ520がオフされた時に、レーザダイオード518の内部静電容量を放電するように構成される
　
発光を開始するために、ゲートドライバ530は、トランジスタ520のゲート端子520gに印加される電圧を調整することで、トランジスタ520をオンし
トランジスタ520は、ゲートドライバ530を介してゲート端子520gに印加される電圧を調整することにより、オフに戻される
トランジスタ520をオフにすると、レーザダイオード518は発光を停止する
（１９欄４２行〜２０欄２行）
「In some examples, during pulse emission, the capacitor 516 and the parasitic capacitance of the laser diode 518 can combine to form a resonant LC tank circuit, which is heavily damped. Discharging the capacitor 516 thus transfers the electrical energy charged on the capacitor 516 to the laser diode 518, where energy is consumed by current flowing in the laser diode to produce light. Upon completion of a single half-cycle of the damped LC oscillation, there may be almost no energy left to continue to drive current through the laser diode 518, and remaining voltage, if any, can return to the capacitor 516 via the diode 522 connected in parallel across the laser diode 518.
 In practice then, the energy stored on the capacitor 516 may be consumed, and the laser diode 518 may turn off (at time TOFF), following a single half-cycle of 
the resonant LC circuit formed by the capacitor 516 and the parasitic inductance of the inductor 518
（いくつかの例においては、パルス放射の間、コンデンサ516とレーザダイオード518の寄生容量が結合して、強く減衰されるＬＣ共振回路が形成される。コンデンサ516の放電により、コンデンサ516に充電された電気エネルギーがレーザダイオード518に移動し、この場合、エネルギーは、レーザダイオードに電流が流れることによって消費されて、光を生成する。ＬＣ減衰振動の半サイクルが完了すると、レーザダイオード518に電流を流すエネルギーはほとんど残っておらず、もし残っていたとしても、その残りの電圧は、レーザダイオード518の両端に並列に接続されたダイオード522を介してコンデンサ516に戻される。
　実際には、コンデンサ516に蓄えられたエネルギーは消費され、
コンデンサ516とインダクタ518の寄生インダクタンスによって形成されるＬＣ共振回路
（２２欄１２〜２１行）
「
The light pulse emitted at time TON can be reflected from an environmental object, such as an obstacle surrounding an autonomous vehicle, and a light signal from the reflected portion of the emitted pulse is received via a photo detector at reception time TRx
The time ΔT between the emission time (at time TON) and the reception time T can then be used to calculate the distance to the reflective object
（
時間TONにおいて放射された光パルスは、自動運転車両の周囲の障害物等の物体で反射され、この放射光パルスの反射光の信号は、光検出器により時間TRxに受信される
放射時間(時間TON)と受信時間Tの間の時間ΔTは、反射物体までの距離を計算するために使用することができる
（２２欄３８行〜２３欄６行）
「
FIG. 5C shows a current path through the example laser diode firing circuit 500 of FIG. 5A during a charging mode
As such, current does not flow through the laser diode 518, and instead flows to accumulate charge across the capacitor 516
The dashed arrow in FIG. 5C illustrates such a charging current path, which flows from the voltage source 502 (which may have a voltage V1), through the biasing diode 514, toward the capacitor 516
 
FIG. 5D shows a current path through the example laser diode firing circuit 500 of FIG. 5A during an emission mode
As such, the capacitor 516 is connected across the laser diode 518 (via the turned on transistor 520), and so the charge on the capacitor 516 rapidly discharges through the laser diode 518 and the transistor 520
The dashed arrow in FIG. 5D illustrates such a discharge current path, which flows from the capacitor 516, through the laser diode 518 and the transistor 520 toward ground
Upon the transistor 520 being turned on, the discharge current flows rapidly to discharge the capacitor 516 and the resulting change in current (e.g., increase in current) causes the laser diode 518 to emit a pulse of light
 The current paths shown in FIGS. 5C and 5D illustrate two operation modes of the firing circuit 500: a charging mode (FIG. 5C) and an emission mode (FIG. 5D).
 In some examples, the firing circuit 500 switches between the charging mode and the emission mode based solely on whether the transistor 520 is turned on or turned off
（
図5Ｃは、充電モード時の、図5Ａのレーザダイオード発光回路500の電流経路を示す
このように、電流は、レーザダイオード518を流れず、代わりにコンデンサ516に電荷を蓄積するように流れる
図5Ｃ中の点線の矢印は、 (電圧V1の）電圧源502から、順バイアスされたダイオード514を介して、コンデンサ516に向かう充電電流経路を示している
　
図5Ｄは、放電モード時の、図5Ａのレーザダイオード発光回路500の電流経路を示す
このように、コンデンサ516は、レーザダイオード518の両端子に(オン状態のトランジスタ520を介して)接続され、コンデンサ516に蓄積された電荷は、レーザダイオード518及びトランジスタ520を経て速やかに放電する
図5Ｄの点線の矢印は、コンデンサ516から、レーザダイオード518及びトランジスタ520を介して接地に流れる放電電流経路を示している
トランジスタ520がオンすると、放電電流が急激に流れコンデンサ516を放電し、電流の変化(例えば、電流の増加)によって、レーザダイオード518が光パルスを放出する
　図5Ｃ、図5Ｄに示す電流経路は、発光回路500の２つの動作モード（充電モード（図5Ｃ）、放電モード（図５Ｄ））を示している。いくつかの例では、
発光回路500は、トランジスタ520がオンかオフかのみに基づいて、充電モードと放電モードを切り替える
【図５Ａ】
【図５Ｃ】
【図５Ｄ】
　図５Ａから、レーザダイオード発光回路500が、トランジスタ520、コンデンサ516及びレーザダイオード518が直列かつ環状に接続された第１の閉回路と、トランジスタ520、コンデンサ516及び放電ダイオード522が直列かつ環状に接続された第２の閉回路と、レーザダイオード518及び放電ダイオード522が直列かつ環状に接続された第３の閉回路を有していることが読み取れる。
　また、引用文献１の１９欄４２行〜２０欄２行には、レーザダイオード518が寄生インダクタンスを有すること、コンデンサ516とレーザダイオード518の寄生インダクタンスによってＬＣ共振回路が形成されることが記載されているから（なお、原文では、「the resonant LC circuit formed by the capacitor 516 and the parasitic inductance of the inductor 518」と記載されているが、「the inductor 518」が同じ参照符号518である「the laser diode 518」を指すことは明らかであるから、上記のように記載されているものとして認定した。）、レーザダイオード518が含まれる第１の閉回路及び第３の閉回路が寄生インダクタンスを有していることが読み取れる。
　以上を総合すると、上記記載事項、及び上記図５Ａ、５Ｃ、５Ｄからみて、引用文献１には、以下の発明（以下「引用発明」という。）が記載されているものと認められる。
「光検出及び測距(LIDAR)装置は、光パルスを周囲に放射し、反射信号を測定することによって、周囲の反射性物体の位置を推定するように動作し、
　時間TONにおいて放射された光パルスは、周囲の障害物等の物体で反射され、この放射光パルスの反射光の信号は、光検出器により時間TRxに受信され、放射時間(時間TON)と受信時間Tの間の時間ΔTは、反射物体までの距離を計算するために使用することができ（１２欄５７〜６２行、２２欄１２〜２１行）、
　光パルスを走査ゾーンに照射するために、LIDAR装置は光パルスを放射するようにトリガされる1つ以上の光源を含み、当該光源は、レーザダイオードのような発光素子を含み、
　レーザダイオード発光回路500は、レーザダイオード518に接続されたコンデンサ516及びトランジスタ520を備え、
　放電ダイオード522は、レーザダイオード518の両端に結合され、トランジスタ520がオフされた時に、レーザダイオード518の内部静電容量を放電するように構成され、
　発光を開始するために、ゲートドライバ530は、トランジスタ520のゲート端子520gに印加される電圧を調整することで、トランジスタ520をオンし、
　トランジスタ520は、ゲートドライバ530を介してゲート端子520gに印加される電圧を調整することにより、オフに戻され、
　前記レーザダイオード発光回路500は、トランジスタ520がオンかオフかのみに基づいて、充電モードと放電モードを切り替え、充電モード時には、コンデンサ516に電荷を蓄積するように電流が流れ、放電モード時には、コンデンサ516に蓄積された電荷はレーザダイオード518及びトランジスタ520を経て速やかに放電し、電流の変化(例えば、電流の増加)によって、レーザダイオード518が光パルスを放出し（１７欄７〜１１行、１７欄４７行〜１８欄２２行、２２欄３８行〜２３欄６行、図５Ａ、図５Ｃ、図５Ｄ）、
　前記レーザダイオード発光回路500は、
　前記トランジスタ520、前記コンデンサ516及び寄生インダクタンスを有する前記レーザダイオード518が直列かつ環状に接続された第１の閉回路と、前記トランジスタ520、前記コンデンサ516及び前記放電ダイオード522が直列かつ環状に接続された第２の閉回路を有し（図５Ａ）、
　前記レーザダイオード発光回路500は、
　前記寄生インダクタンスを有するレーザダイオード518及び前記放電ダイオード522が直列かつ環状に接続された第３の閉回路を有する（図５Ａ）
　光検出及び測距(LIDAR)装置。」
第５　対比
１　本願発明と引用発明の対比
　本願発明と引用発明を対比する。
（１）　引用発明の「光検出及び測距(LIDAR)装置」は、本願発明の「距離測定装置（１）」に相当する。
　また、引用発明の「LIDAR装置」に含まれる「1つ以上の光源」は、本願発明の「光源」に相当し、引用発明の「LIDAR装置」の「1つ以上の光源」から「放射」される「光パルス」は、本願発明の「光源から発せられた光」に相当し、引用発明の「放射光パルスの反射光」は、本願発明の「光源から発せられた光の反射波」に相当する。
　そして、引用発明の「反射物体までの距離を計算する」ことは、本願発明の「物体までの距離を測定する」ことに相当するところ、引用発明の「放射時間(時間TON)と受信時間Tの間の時間ΔT」は、光検出器により放射光パルスの反射光を受信した時間により決まるものであるから、このような「時間ΔT」を「使用」して「反射物体までの距離を計算する」ことは、本願発明の「光源から発せられた光の反射波に基づいて物体までの距離を計算する」ことに相当する。
　よって、引用発明の「、光パルスを周囲に放射し、反射信号を測定することによって、周囲の反射性物体の位置を推定するように動作し、時間TONにおいて放射された光パルスは、周囲の障害物等の物体で反射され、この放射光パルスの反射光の信号は、光検出器により時間TRxに受信され、放射時間(時間TON)と受信時間Tの間の時間ΔTは、反射物体までの距離を計算するために使用することができ」る「光検出及び測距(LIDAR)装置」は、本願発明の「光源から発せられた光の反射波に基づいて物体までの距離を測定するように構成された距離測定装置（１）」に相当する。
（２）　引用発明の「トランジスタ520」、「コンデンサ516」、「レーザダイオード518」は、それぞれ本願発明の「スイッチ（２１）」、「コンデンサ（２２）」、「発光素子（３１）」に相当する。
　また、引用発明の「トランジスタ520のゲート端子520gに印加されるゲートドライバ530からの電圧を調整することにより」、「トランジスタ520をオン」又は「オフ」することは、本願発明の「発光制御信号に従って前記スイッチを開閉することによって」に相当し、引用発明の「トランジスタ520がオンかオフかのみに基づいて、充電モードと放電モードを切り替え、充電モード時、コンデンサ516に電荷を蓄積するように電流が流れ、放電モード時、コンデンサ516に蓄積された電荷はレーザダイオード518及びトランジスタ520を経て速やかに放電し、電流の変化(例えば、電流の増加)によって、レーザダイオード518が光パルスを放出」することは、本願発明の「前記コンデンサを充放電し、前記コンデンサによる放電の際の電力で前記発光素子を発光させる」ことに相当する。
　さらに、引用発明の「レーザダイオード518の両端に結合される放電ダイオード522」は、アノード及びカソードを有するダイオードであるとともに、アノードがレーザダイオード518のカソードに、カソードがレーザダイオード518のアノードに接続されているものであるところ、本願発明の発光素子（３１）、保護素子（２３）についても、本願明細書の図２から、同じくダイオードであり、当該両ダイオードの接続関係も同じであることから、本願発明と同様の保護素子としての機能を奏することは明らかであり、また、引用発明の「放電ダイオード522」は、トランジスタ520がオフ時のレーザダイオード518の内部静電容量を放電するものであり、この点からもレーザダイオードを保護する機能を有していると認められることから、本願発明の「保護素子（２３）」に相当する。
　そうすると、このような「トランジスタ520」、「コンデンサ516」、「レーザダイオード518」及び「放電ダイオード522」を備えた引用発明の「レーザダイオード発光回路500」は、本願発明の「発光回路（１５）」に相当する。
　よって、引用発明の「光パルスを走査ゾーンに照射するために、LIDAR装置は光パルスを放射するようにトリガされる1つ以上の光源を含み、当該光源は、レーザダイオードのような発光素子を含み、レーザダイオード発光回路500は、レーザダイオード518に接続されたコンデンサ516および及びトランジスタ520を備え、放電ダイオード522は、レーザダイオード518の両端に結合され、トランジスタ520がオフされた時に、レーザダイオード518の内部静電容量を放電するように構成され、発光を開始するために、ゲートドライバ530は、トランジスタ520のゲート端子520gに印加される電圧を調整することで、トランジスタ520をオンし、トランジスタ520は、ゲートドライバ530を介してゲート端子520gに印加される電圧を調整することにより、オフに戻され、前記レーザダイオード発光回路500は、トランジスタ520がオンかオフかのみに基づいて、充電モードと放電モードを切り替え、充電モード時、コンデンサ516に電荷を蓄積するように電流が流れ、放電モード時、コンデンサ516に蓄積された電荷はレーザダイオード518及びトランジスタ520を経て速やかに放電し、電流の変化(例えば、電流の増加)によって、レーザダイオード518が光パルスを放出し」は、本願発明の「スイッチ（２１）、コンデンサ（２２）、発光素子（３１）、および保護素子（２３）を備え、発光制御信号に従って前記スイッチを開閉することによって前記コンデンサを充放電し、前記コンデンサによる放電の際の電力で前記発光素子を発光させるように構成された発光回路（１５）」に相当する。
（３）　引用発明の「第１の閉回路」、「第２の閉回路」は、当該回路の構成要素の接続態様からみて、それぞれ本願発明の「第１回路（１５Ｐ）」、「第２回路（１５Ａ）」に相当する。
　よって、引用発明の「前記レーザダイオード発光回路500は、前記トランジスタ520、前記コンデンサ516及び寄生インダクタンスを有する前記レーザダイオード518が直列かつ環状に接続された第１の閉回路と、前記トランジスタ520、前記コンデンサ516及び前記放電ダイオード522が直列かつ環状に接続された第２の閉回路を有し」と本願発明の「前記発光回路は、前記スイッチ、前記コンデンサ、前記発光素子が直列かつ環状に接続された回路を第１回路（１５Ｐ）とし、前記スイッチ、前記コンデンサ、前記保護素子が直列かつ環状に接続された回路を第２回路（１５Ａ）として、前記第１回路の寄生インダクタンス（Ｌｐ）は前記第２回路の寄生インダクタンス（Ｌａ）よりも大きくなるように構成され」は、「前記発光回路は、前記スイッチ、前記コンデンサ、前記発光素子が直列かつ環状に接続された回路を第１回路（１５Ｐ）とし、前記スイッチ、前記コンデンサ、前記保護素子が直列かつ環状に接続された回路を第２回路（１５Ａ）として有するように構成され」という点で共通する。
（４）　引用発明の「第３の閉回路」は、当該回路の構成要素の接続態様からみて、本願発明の「第３回路（１５Ｂ）」に相当する。
　よって、引用発明の「前記レーザダイオード発光回路500は、前記寄生インダクタンスを有するレーザダイオード518及び前記放電ダイオード522が直列かつ環状に接続された第３の閉回路を有する」と本願発明の「前記発光回路は、前記発光素子と前記保護素子とが直列かつ環状に接続された回路を第３回路（１５Ｂ）として、前記第２回路の寄生インダクタンスは前記第３回路の寄生インダクタンス（Ｌｂ）よりも小さくなるように構成される」は、「前記発光回路は、前記発光素子と前記保護素子とが直列かつ環状に接続された回路を第３回路（１５Ｂ）として有するように構成される」という点で共通する。
２　一致点及び相違点
　上記１の検討を総合すると、本願発明と引用発明の両者は、以下の一致点で一致し、以下の相違点で相違する。
＜一致点＞
　光源から発せられた光の反射波に基づいて物体までの距離を測定するように構成された距離測定装置であって、
　スイッチ、コンデンサ、発光素子、および保護素子を備え、発光制御信号に従って前記スイッチを開閉することによって前記コンデンサを充放電し、前記コンデンサによる放電の際の電力で前記発光素子を発光させるように構成された発光回路を備え、
　前記発光回路は、
　前記スイッチ、前記コンデンサ、前記発光素子が直列かつ環状に接続された回路を第１回路とし、前記スイッチ、前記コンデンサ、前記保護素子が直列かつ環状に接続された回路を第２回路として有するように構成され、
　前記発光回路は、
　前記発光素子と前記保護素子とが直列かつ環状に接続された回路を第３回路（１５Ｂ）として有する
　ように構成される距離測定装置。
＜相違点＞
　本願発明では「前記第１回路の寄生インダクタンス（Ｌｐ）は前記第２回路の寄生インダクタンス（Ｌａ）よりも大きくなるように構成され」るとともに、「前記第２回路の寄生インダクタンスは前記第３回路の寄生インダクタンス（Ｌｂ）よりも小さくなる」ように構成されているのに対して、引用発明では、第２の閉回路が寄生インダクタンスを有していることと、第１〜３の閉回路の寄生インダクタンスの大小関係について特定されていない点。
第６　判断
１　相違点についての判断
　引用文献１の１９欄４２行〜２０欄２行には、レーザダイオード518が寄生インダクタンスを有し、コンデンサ516とレーザダイオード518の寄生インダクタンスによってＬＣ共振回路が形成されること、当該ＬＣ共振回路による減衰振動の半サイクルの後にレーザダイオード518に電流を流すエネルギーがほとんど残っていないこと、コンデンサ516の値及びレーザダイオード518の寄生インダクタンスの値に応じてパルス持続時間ΔtONが影響を受けることについて記載されている。
　ここで、図５Ａ、Ｄの回路構成から、放電モード時のレーザダイオード発光回路500の閉回路には、レーザダイオード520、放電ダイオード522、トランジスタ520、コンデンサ516及び配線に含まれる寄生インダクタンスと、同じくレーザダイオード520、放電ダイオード522、トランジスタ520、コンデンサ516及び配線に含まれる寄生容量が存在することは明らかであるから、レーザダイオード発光回路500に形成されるＬＣ共振回路は、これらの合成インダクタンスと合成容量からなるものと理解される。
　しかしながら、引用文献１には、上述のように、ＬＣ共振回路は、レーザダイオード518の寄生インダクタンスとコンデンサ516から形成されること、パルス持続時間ΔtON（コンデンサ516の放電時間）がコンデンサ516の値及びレーザダイオード518の寄生インダクタンスの値に応じたものとなることしか記載されておらず、放電ダイオード522、トランジスタ520、コンデンサ516及び配線に含まれる寄生インダクタンスについての記載は見当たらない。また、通常、回路の各素子や配線に含まれる寄生インダクタンスは、設計者にとって望ましくない動作を生じさせるため、可能な限り小さくすることが技術常識である。
　そうしてみれば、放電ダイオード522、コンデンサ516、トランジスタ520及び配線の寄生インダクタンスの値は、レーザダイオード518の寄生インダクタンスの値と比較して、レーザダイオード発光回路500に形成されるＬＣ共振回路やパルス持続時間ΔtONに与える影響が無視し得る程度に小さいことが、引用文献１から読み取ることができる。（仮に、引用発明１のトランジスタ520、コンデンサ516及びレーザダイオード518が直列かつ環状に接続された第１の閉回路の寄生インダクタンスよりも、トランジスタ520、コンデンサ516及び放電ダイオード522が直列かつ環状に接続された第２の閉回路の寄生インダクタンスの方が大きいのであれば、放電ダイオード522等の寄生インダクタンスが、パルス持続時間ΔtONに与える影響は無視し得ないものとなるはずであり、引用文献１のコンデンサ516の値及びレーザダイオード518の寄生インダクタンスの値に応じたものとなる記載と整合しない。）
　また、引用文献１の１７欄６５行〜１８欄１行、１９欄５２〜５４行には、放電ダイオードが、レーザダイオードの内部キャパシタンスの電荷を放電させることが記載されており、速やかに放電させるのが望ましく、その寄生インダクタンスの値を小さくすべきことは明らかである。なお、後述のように請求人も、審判請求の理由において「しかし、
レーザダイオードは一般的に保護素子（２３）よりもサイズが大きく、内部インダクタンスも大きい
　以上のことを総合するに、引用発明において、レーザダイオード518以外の素子や配線の寄生インダクタンスの値が、レーザダイオード518の寄生インダクタンスの値と比較して、無視し得る程度小さいものであることは、当該技術分野における技術常識から思想として引用文献１から読み取れるものであるから、本願発明と同様、レーザダイオード518を有する第１の閉回路の寄生インダクタンスがレーザダイオード518を有しない第２の閉回路の寄生インダクタンスよりも大きくなるように構成され、レーザダイオード518を有しない第２の閉回路の寄生インダクタンスはレーザダイオード518を有する第３の閉回路の寄生インダクタンスよりも小さくなるように構成されていることが認められる。
　したがって、上記相違点は実質的なものとはいえず、本願発明は引用文献１に記載された発明であるということができ、すくなくとも、技術思想として引用発明から自明であるというべきである。
　また、「前記第１回路の寄生インダクタンス（Ｌｐ）は前記第２回路の寄生インダクタンス（Ｌａ）よりも大きくなるように構成され」、「前記第２回路の寄生インダクタンスは前記第３回路の寄生インダクタンス（Ｌｂ）よりも小さくなるように構成され」ることにより、本願発明はサージ電圧に対する耐性を向上させることができるという効果を奏する、と請求人は主張するところ、より正確には、他の条件（パラメータ）が同じ場合には、（Ｌｐ＞Ｌａ）及び（Ｌａ＜Ｌｂ）の条件を満たすほうがサージ電圧に対する耐性の観点からは好ましいというべきであり、（Ｌｐ＞Ｌａ）及び（Ｌａ＜Ｌｂ）の条件さえ満たせば、Ｌｐ、Ｌａ、Ｌｂがどのような値であってもサージ電圧に対する耐性があるとはいえず（例えば、（Ｌｐ＞Ｌａ）及び（Ｌａ＜Ｌｂ）の条件を満たすが各寄生インダクタンスが非常に大きい値である場合より、（Ｌｐ＞Ｌａ）及び（Ｌａ＜Ｌｂ）の条件を満たさないとしても、Ｌａの値が非常に小さい方が望ましいことは明らかである）、本願発明で規定された数値範囲に属するもの全てに渡ってサージ電圧の耐性について格別な効果を奏するとは認められないから、本願発明に、選択発明（数値限定発明）としての進歩性を認めることはできない。
２　請求人の主張について
（１）請求人の主張
　請求人は、審判請求の理由において、以下の主張をしている。
（主張１）
　保護素子を備えない発光回路において、スイッチ（２１）に印加されるサージ電圧を低減するためには、通常、レーザーダイオード（３１）をスイッチに近接して配置し、第１回路の寄生インダクタンスＬｐが極力小さくなるように設計します。しかし、
レーザダイオードは一般的に保護素子（２３）よりもサイズが大きく、内部インダクタンスも大きいため、Ｌｐを小さくするには限界があります
Ｌｐを小さくすることができない場合であっても
（主張２）
　しかしながら、令和１年１１月１日付け意見書でも述べましたように、引用文献１には、「放電ダイオード５２２が放電したときに当該内部容量と共振しない構成」、「放電ダイオード５２２に残留した電圧が戻される際に、放電ダイオード５２２がコンデンサ５１６と共振しない構成」について、開示も示唆もされていません。
　一般的に、回路を構成する素子を保護するためには、発光回路（ＬＣ回路）を設計する際に、審査官殿が述べる「共振を抑制する」という着想と、審査官殿が述べていない「共振に耐えられる素子を選択する」という着想があります。また、コンデンサへの電荷の充放電に要する時間は、その発光回路での許容範囲内であれば遅延しても問題はありません。
　つまり、発光回路においては、共振が生じても問題がない場合がありますが、審査官殿が必ず共振してはならないと認定されている点に誤りがあると思料します。
　本願発明は、ある程度の共振を許容し、各素子（特にスイッチ）を共振に耐えられるように設計したのですが、条件によって共振によるサージ電圧が大きくなりすぎたため、サージ電圧を抑制するための工夫として、本願発明の構成を想到しました。
　このように引用文献１の構成でも、共振に耐えうる素子を用いて共振を許容している可能性があり、引用文献１に共振をしない構成が開示又は示唆されているとは言えませんので、引用文献１の構成から本願発明の構成が容易に想到できたとも言えないと思料します。
（主張３）
　レーザダイオードをサージ電圧から保護するため、通常、保護素子はレーザダイオードに近接して配置し、Ｌｂが極力小さくなるように設計します。しかし、保護素子をレーザダイオードよりもスイッチに近接して配置して、Ｌｂを小さくすると、相対的にＬａが大きくなってしまいます。
　つまり、意図的にＬａ＜Ｌｂになるように考慮しなければ、このような関係になりにくいのです。意図的にＬａ＜Ｌｂとの関係に設計することで、サージ電圧を抑制できることを発見できたことが発明者の功績であると思料します。本願発明の具体的構成では、Ｌａ＜Ｌｂの関係を満たすように、例えば、「スイッチと保護ダイオード間の配線長」＜「保護ダイオードとレーザダイオード間の配線長」となるように設計し、さらに、保護素子をレーザダイオードよりもスイッチに近接して配置するなどすることができます。このような構成によれば、＜構成Ａ＞との組み合わせにより、さらにサージ電圧を低減できます。
（２）請求人の主張についての検討
ア　主張１について
　請求人は、レーザダイオードは一般的に保護素子よりもサイズが大きく、内部インダクタンスも大きいため、Ｌｐを小さくするには限界がありますと主張しているが、本願発明には、そもそも「Ｌｐを小さくすることができない」すなわち、Ｌｐが所定の値以上であるという特定がされておらず、当該主張は請求項の記載に基づくものとは認められない。
　したがって、主張１は採用できない。
イ　主張２について
　引用文献１には、請求人が主張するように、放電ダイオード522がコンデンサ516と共振しないことについて明示はされていないが、本願発明は共振するかしないかについては特定されておらず、「前記第１回路の寄生インダクタンス（Ｌｐ）は前記第２回路の寄生インダクタンス（Ｌａ）よりも大きくなるように構成され」、「前記第２回路の寄生インダクタンスは前記第３回路の寄生インダクタンス（Ｌｂ）よりも小さくなるように構成され」ることが特定されているのみである。
　そして、引用発明が、仮に、放電ダイオード522がコンデンサ516と共振するものであったとしても、放電ダイオード522、トランジスタ520、コンデンサ516及び配線に含まれる寄生インダクタンスが無視し得る程度に小さい値であること、すなわち上記構成であることは、上述のように引用文献１の記載から明らかである。
　したがって、主張２は採用できない。
ウ　主張３について
　
　請求人は、意図的にＬａ＜Ｌｂとの関係に設計することで、サージ電圧を抑制できることを発見できたことが発明者の功績であると主張しているが、上述のように、引用文献１から、レーザダイオード518の寄生インダクタンスに比較して、それ以外の素子や配線のインダクタンスは無視し得る程度に小さくすることが読み取れるから、引用発明において「Ｌａ＜Ｌｂ」の関係に設計されていることは明らかである。
　したがって、主張３は採用できない。
第７　むすび
　以上のとおり、本願発明は、引用文献１に記載された発明であるから、特許法２９条１項３号に該当し、また、引用文献１に記載された発明に基づいて当業者が容易に発明をすることができたものであるから、同法２９条２項の規定により特許を受けることができない。
　したがって、他の請求項に係る発明について検討するまでもなく、本件出願は拒絶すべきものである。
　よって、結論のとおり審決する。